(57)【特許請求の範囲】
【請求項１】
ルーペが載置可能となされたルーペ載置台であって、ルーペが載置された場合に記録された絵柄が拡大して観察できるようにホログラムが設けられてなり、前記ルーペが載置される部位は２枚の板状部材で構成され、且つその２枚の板状部材のうちルーペが載置される面の部材は透明部材で構成されてなり、その２枚の板状部材の間にホログラムが交換可能に挟み込まれてなることを特徴とするルーペ載置台。
【請求項２】
ルーペが載置可能となされたルーペ載置台であって、ルーペが載置された場合に記録された絵柄が拡大して観察できるようにホログラムが設けられてなり、前記ルーペが載置される部位は透明な板状部材で構成され、その板状部材の少なくとも一面にホログラムが固定的に取り付けられてなることを特徴とするルーペ載置台。
【請求項３】
前記ホログラムはリップマンホログラムであることを特徴とする請求項１または２記載のルーペ載置台。
【発明の詳細な説明】
【０００１】
【産業上の利用分野】
本発明は、ルーペを載置するためのルーペ載置台に係り、特に、ルーペが載置されている場合には高いインテリア性を発揮するルーペ載置台に関する。
【０００２】
【従来の技術】
近年では文房具にもインテリア性が要求されるようになってきており、例えばルーペは、画像を拡大して観察するという本来の用途に用いられるだけではなく、画像の拡大という本来の用途に使用しないときには他の用途、例えばペーパーウェイトとして用いることが可能となされているものがある。
【０００３】
図４はそのようなルーペの例を示す図であり、ルーペ１は透明なガラスで成形されており、円柱状部２の上に凸部３が設けられた形状を有している。このようなルーペ１は綺麗なものであるので、それ自体インテリアとして有用であり、しかもある程度の重みがあればインテリア性を有するペーパーウェイトとして用いることができるものである。
【０００４】
なお、本明細書では、ルーペとは画像を拡大して観察することができる機能を有する光学部材を総称するものとする。
【０００５】
【発明が解決しようとする課題】
しかしながら、図４において１で示すようなルーペはそれ自体が綺麗であり、本来の用途に使用しないときにペーパーウェイトとして用いるだけではインテリアとしては物足りないものであった。
【０００６】
本発明は、上記の課題を解決するものであって、ルーペと組み合わせたときにより高いインテリア性を発揮できるルーペ載置台を提供することを目的とするものである。
【０００７】
上記の目的を達成するために、請求項１記載のルーペ載置台は、ルーペが載置可能となされたルーペ載置台であって、ルーペが載置された場合に記録された絵柄が拡大して観察できるようにホログラムが設けられてなり、前記ルーペが載置される部位は２枚の板状部材で構成され、且つその２枚の板状部材のうちルーペが載置される面の部材は透明部材で構成されてなり、その２枚の板状部材の間にホログラムが交換可能に挟み込まれてなることを特徴とする。
請求項２記載のルーペ載置台は、ルーペが載置可能となされたルーペ載置台であって、ルーペが載置された場合に記録された絵柄が拡大して観察できるようにホログラムが設けられてなり、前記ルーペが載置される部位は透明な板状部材で構成され、その板状部材の少なくとも一面にホログラムが固定的に取り付けられてなることを特徴とする。
【０００８】
請求項３記載のルーペ載置台は、請求項１または２記載のルーペ載置台において、ホログラムはリップマンホログラムであることを特徴とする。
【００１１】
【発明の実施の形態】
以下、図面を参照しつつ本発明に係るルーペ載置台の実施の形態について説明する。なお、以下の説明ではルーペは図４に示す形状であるとする。
【００１２】
図１は本発明に係るルーペ載置台（以下、単に載置台と称す）の一実施形態を示す図であり、適宜な厚みを有する円盤状部材４の所定の箇所に脚部５が留め金６によって固着されて構成されており、円盤状部材４には適宜な絵柄が記録されたホログラム７が取り付けられている。ホログラム７は円盤状部材４の全面に取り付けてもよいし、円盤状部材４の一部分に取り付けてもよい。なお、図１ではホログラム７には「Ｎ」という文字が記録されているものとしている。
【００１３】
円盤状部材４としてはアクリル板等の透明な部材であってもよく、金属板等の不透明な部材であってもよい。あるいは透明な部材に着色を施してもよい。更には、円盤状部材４の表面には通常の印刷等によって適宜な絵柄を描いてもよい。要するにインテリアとして好ましい部材で構成され、インテリアとして好ましい形態となされていればよい。
【００１４】
ホログラム７の円盤状部材４への取り付けは種々の周知の方法で行うことができ、しかも、ホログラム７を固定的に取り付けることも、あるいは交換可能に取り付けることも可能である。
【００１５】
簡単な方法としてはホログラム７を粘着材または接着剤で円盤状部材４に貼り付ければよい。この場合、円盤状部材４が透明部材である場合には、ホログラム７をルーペが載置される面に貼り付けてもよく、その反対側の面に貼り付けてもよく、あるいはこれらの両面に互いに異なる絵柄が記録されたホログラムをそれぞれ貼り付けるようにしてもよい。
【００１６】
また、円盤状部材４が透明な部材で構成されている場合にはホログラム７を円盤状部材４の内部に封入してもよい。
【００１７】
また、ホログラム７を交換可能に取り付ける手法としては、例えば図６に示すように円盤状部材４を２枚の円盤状部材４1 、４2 で構成すると共に、少なくとも上側の円盤状部材４2 は透明部材で構成し、これら透明な円盤状部材４1 、４2 の間にホログラム７を挟み込み、更に少なくとも上側の円盤状部材４2 は留め金６を外して取り外し可能とすればよい。この手法によれば必要に応じてホログラム７が交換できることは明らかである。
【００１８】
ホログラム７としては、特性的にリップマンホログラムを用いるのが望ましいが、それ以外にもレリーフタイプのレインボータイプで反射型のホログラム等、自然光あるいは通常の照明光で再生できる反射型のホログラムを用いることができる。
【００１９】
ここで、リップマンホログラムについて説明すると次のようである。リップマンホログラムは、図５（ａ）に示すような配置で記録され、同図（ｂ）に示すような原理で再生されるものであり、フォトポリマー、銀塩感光乳剤のような厚みのあるホログラム感材１０の片面から記録物体Ｏの情報を持ったコヒーレントな物体光１１を入射させ、同時に同じ波長のコヒーレントな参照光１２を反対側から所定角度で入射させると、物体光１１と参照光１２はホログラム感材１０中で干渉して体積型のホログラム干渉縞が記録される。このような体積型ホログラム（リップマンタイプのホログラム）が記録されたホログラム記録体２０（ホログラム感材１０）に、記録の時の参照光１２と同じ方向から再生照明光２２を照射すると、入射光は記録された体積型のホログラム干渉縞により回折され、その回折光２３は記録物体Ｏの位置から発する光と同じ方向に回折され、元の記録物体Ｏの位置にその再生像Ｏ′を再生する。または、記録の時の参照光１２と反対に進む再生照明光２２を裏面に当てると、元の記録物体Ｏの位置にその再生像Ｏ′を形成する。何れにしても、リップマンホログラムは、記録された立体物あるいは平面物の絵柄の像を所定の空間に再生するものである。
【００２０】
このようなリップマンホログラムの特徴は、室内照明光等の環境光によって再生可能であること、波長選択性があること、角度選択性があること、立体物が記録再生できること、多重記録ができること等である。
【００２１】
以上のようであるので、図２に示すようにこの載置台に図４に示すルーペ１を載置した場合には、ホログラム７（図２には図示せず）に記録された絵柄がルーペ１によって拡大されて観察できるので、楽しみ方が倍増し、インテリアとしてよりよいものとなる。
【００２２】
また、図２に示すようにルーペを載置しない場合でもホログラム７に記録された絵柄を観察できることは当然であり、従ってこの載置台自体もインテリアとして用いることができるものである。
【００２３】
以上、本発明に係るルーペ載置台の一実施形態について説明したが、本発明に係るルーペ載置台は上記実施形態に限定されるものではなく種々の変形が可能である。例えば、図１に示す実施形態ではホログラム７には一つの絵柄が記録されているものとしたが、複数の絵柄が多重記録されていてもよいものである。
【００２４】
また、載置台は図１に示す形状に限るものではなく、同様にルーペの形状は図４に示す形状に限るものではない。要するに、載置台は所定の形状のルーペを載置できる形状であればよく、ホログラムは当該載置台にルーペが載置されたときに記録された絵柄がルーペによって拡大して観察できる箇所に取り付けられていればよいものである。
【００２５】
以上、本発明に係るルーペ載置台の一実施形態について説明したが、次に本発明に係るルーペの一実施形態について説明する。なお、以下の説明ではルーペは図４に示す形状のものを用いるものとする。
【００２６】
図３は本発明に係るルーペの一実施形態を示す図であり、ルーペ８の底面にはホログラム９が取り付けられている。ここで、ルーペ８は透明インキで着色されていてもよいし、透明インキによって適宜な絵柄が印刷されていてもよい。なお、図３ではホログラム９には「Ｎ」という文字が記録されているものとしている。
【００２７】
図３ではホログラム９はルーペ８の底面の中央部ではなく、偏って取り付けられているが、これはルーペ８を本来の用途である画像の拡大観察のために使用する場合にホログラム９が妨げとなることのないようにするためである。
【００２８】
ホログラム９のルーペ８への取り付けは種々の周知の方法で行うことができるが、ホログラム９を粘着材または接着剤でルーペ８の底面に貼り付ければよい。また、ホログラム９をルーペ８の内部に封入してもよい。
【００２９】
ホログラム９としては、リップマンホログラム、レリーフタイプのレインボータイプで反射型のホログラム等、自然光あるいは通常の照明光で再生できる反射型のホログラムを用いることができるが、上述したようにホログラム９はルーペ８を本来の用途である画像の拡大観察のために使用する場合に妨げとならないものであることが要求されることから視域が限定されたリップマンホログラムを用いるのが望ましい。
【００３０】
以上のルーペによれば、ルーペを本来の用途である画像の拡大観察のために使用しないときにはホログラム９に記録された絵柄を拡大観察して楽しむことができるので、楽しみ方が倍増し、インテリアとしてよりよいものとなる。
【００３１】
以上、本発明に係るルーペの一実施形態について説明したが、本発明に係るルーペは上記実施形態に限定されるものではなく種々の変形が可能である。例えば、図３に示す実施形態ではホログラム９には一つの絵柄が記録されているものとしたが、複数の絵柄が多重記録されていてもよいものである。
【００３２】
また、ルーペの形状は図３、図４に示す形状に限るものではなく、要するにホログラムが、そのホログラムに記録された絵柄が拡大されて観察可能な箇所に取り付けられていればよいものである。
【００３３】
以上、本発明に係るルーペ載置台、及び本発明に係るルーペについてそれぞれ説明したが、ルーペ載置台とルーペとを組み合わせて１セットとした場合には、以下のようにして更にインテリア性を高めることができる。
【００３４】
その一つの態様としては、ルーペにはホログラムを取り付け、ルーペ載置台にはルーペに取り付けたホログラムの絵柄と関連する絵柄を印刷によって描くようにする。
【００３５】
また、他の形態としては、ルーペ載置台にはホログラムを取り付け、ルーペにはルーペ載置台に取り付けたホログラムの絵柄と関連する絵柄をインキで印刷する。なお、この場合、透明インキを用いるのが望ましいが、ルーペの一部分だけに印刷するのであれば不透明なインキを用いてもよい。
【００３６】
更には、ルーペとルーペ載置台にそれぞれホログラムを取り付ける態様とすることもできる。この場合それぞれのホログラムの絵柄は互いに関連するものとするのが望ましいことは明らかである。
【００３７】
以上のようにすれば、ルーペをルーペ載置台に載置した場合に絵柄の組み合わせを楽しむことができる。
【図面の簡単な説明】
【図１】  本発明に係るルーペ載置台の一実施形態を示す図である。
【図２】  図１に示すルーペ載置台に図４に示すルーペを載置した状態を示す図である。
【図３】  本発明に係るルーペの一実施形態を示す図である。
【図４】  ルーペの形状の例を示す図である。
【図５】  リップマンホログラムを説明するための図である。
【図６】  ホログラム７を円盤状部材４に交換可能に取り付けるための一手法を説明するための図である。
【符号の説明】
１…ルーペ
２…円柱状部
３…凸部
４…円盤状部材
５…脚部
６…留め金
７…ホログラム
８…ルーペ
９…ホログラム
１０…ホログラム感材
１１…物体光
１２…参照光
２０…ホログラム記録体
２２…再生照明光
２３…回折光
【図１】
0003765505.tif 000002
【図２】
0003765505.tif 000003
【図３】
0003765505.tif 000004
【図４】
0003765505.tif 000005
【図５】
0003765505.tif 000006
【図６】
0003765505.tif 000007